(57)【要約】【課題】  本発明は、傘を傘カバーに収納した際に雨滴が外部に漏れることのないように工夫したカバー付き傘を提供する。【解決手段】  傘カバーは水密性のある素材で作り、傘カバーの開口部と傘の柄部に、傘を収納した場合に、傘カバーを密閉構造にすることができる接合部を設け、また、傘カバーと傘が分離できる場合には、傘カバーに傘を収納しない時に、傘の柄部の代わりに傘カバーを密閉構造にすることができる専用のふたを設け、この専用のふたには傘を収納した場合でも傘の柄部に着脱できるような構造をこのふたと傘の柄部に設けたことを特徴としたカバー付き傘。【選択図】図１
2008149077.tif 000002
【特許請求の範囲】
【請求項１】
傘を傘カバーに収納した場合に、傘の柄部と傘カバーの開口部とにねじ型の構造などで密閉構造にすることができる接合部を設け、周囲を雨滴で濡らすことなく携帯できる特徴を持った傘と傘カバーの構造で、傘カバーに傘を収納しない場合用に、傘の柄部の代わりに傘カバーを密閉構造にすることができる傘カバーの蓋を設け、傘の使用にかかわらず周囲を雨滴で濡らすことなく携帯できる特徴を持った傘と傘カバーと傘カバーの蓋の構造からなるカバー付き傘。
【発明の詳細な説明】
【技術分野】
【０００１】  本発明は、傘を傘カバーに収納した際に雨滴が外部に漏れることのないカバー付き傘を提供する。
【背景技術】
【０００２】  従来、傘に付属の傘カバーは販売展示の際の装飾に過ぎないものが多く、その素材や、傘を収納するための開口部についてなんら考慮がなされていなかった。
また、傘の雨滴で屋内を濡らすことを防止するための目的の素材について考慮されたものでも開口部を完全に密封するものは見受けられず、使い捨てのプラスチック製の袋がその大半を占めていた。
【発明の開示】
【発明が解決しようとする課題】
【０００３】  そのために、次のような問題点があった。
（イ）傘カバーに収納した傘から雨滴が外部に漏出することがあった。
（ロ）雨滴に濡れた傘を収納した後の傘カバーは傘の雨滴が付着しており、この傘カバー自体から雨滴が外部に漏出してしまうことがあり、使用後の傘カバーを鞄などに収納することがはばかられた。
（ハ）（ロ）より、傘カバーは使い捨てのものを使う傾向にあり、多くのプラスチックゴミを生み出す結果になった。
本発明は、これらの問題点を解決するためになされたものである。
【課題を解決するための手段】
【０００４】  傘カバーは水密性のある素材で作られる。
傘の柄部と傘カバーの開口部とに、傘を傘カバーに収納した場合に傘カバーを密閉構造にすることができる接合部を設ける。
また、傘を傘カバーに収納しない時に、傘の柄部の代わりに傘カバーを密閉構造にすることができる専用の蓋を設ける。
この専用の蓋が傘を収納した場合でも傘の柄部または傘カバーに着脱できるような構造を設ける。
以上の特徴を持つ傘カバーである。
【発明の効果】
【０００５】  本発明の傘と傘カバーは持ち運び時に雨滴を外部に漏出しないので、傘を使用後に傘を乾かさなくても雨滴の外部への付着を心配せずに持ち運ぶことができる。
また、傘を収納していないときでも専用の蓋の存在のため傘カバーから雨滴が漏れ出す心配はなく、傘カバーを持ち運ぶ際に便利である。
これらの特徴により、雨滴が他のものを濡らす心配がなく、傘カバーを使い捨てにする必要がない。
【発明を実施するための最良の形態】
【０００６】以下、図１、図２、図３、図４を用い本発明の実施の形態について説明する。
（イ）傘カバー２ａは水密性のある素材でできている。
（ロ）傘カバー２ａの開口部のキャップ２１ａには雄ねじを設け、傘１ａの柄部傘側のキャップ１１ａには雌ねじを設け、両者の接合部は水筒の蓋のように隙間なく密着させる構造を備えている。
（ハ）傘カバー２ａ専用の蓋３ａには雌ねじを設け、傘カバー２ａの開口部のキャップ２１ａと接合し、水筒の蓋のように隙間なく密着させる構造を備えている
（ニ）傘１ａの柄部持ち手側のキャップ１２ａには雄ねじを設け、蓋３ａと接合できる構造を備えている。
図１、図２では傘を収納する場合を示している。
傘１ａの柄部傘側のキャップ１１ａは、傘カバー２ａの開口部のキャップ２１ａと接合し、水筒の蓋のように隙間なく密着して傘カバー２ａ内にある傘１ａを密封し、傘１ａの雨滴を外部に溶出することがない。
またこのとき、傘カバー２ａ専用の蓋３ａは、傘１ａの柄部持ち手側のキャップ１２ａと密着し、持ち運びの際に一体になって持ち運ぶことができる。
図３、図４では一度傘を収納した後で、傘カバーに蓋をする場合を示している。
傘カバー２ａ専用の蓋３ａは、傘カバー２ａの開口部のキャップ２１ａと接合し、水筒の蓋のように隙間なく密着して傘カバー２ａの内部を密封し、傘１ａの雨滴などによる水滴を外部に溶出することがない。
つまり傘１ａの使用の有無にかかわらず傘カバー２ａの内部を密封することが可能である。
なお、これら接合部は密着できる構造であれば、ねじでなくても良い。
図５、図６に示すように傘カバー２ｂ専用の蓋３ｂが傘２ｂの柄部持ち手側以外の場所に接合できる構造にしても良い。
図７、図８に示すように傘カバー２ｃ専用の蓋３ｃが傘カバー２ｃと連結した構造になっていても良い。
図９、図１０に示すように傘カバー２ｄの下部に水切り用の機構２３ｄを設けてもよい。
図１１に示すように傘１ｅと傘カバー２ｅとを分離させることなく連続の構造体として作製してもよい。この場合専用の蓋は必要がない。
傘１ｅの柄部傘側のキャップ１１ｅは、傘カバー２ｅの開口部のキャップ２１ｅと接合し、水筒の蓋のように隙間なく密着して傘カバー２ｅ内にある傘１ａを密封し、傘１ｅの雨滴を外部に溶出することがない。
図１２、図１３に示すように傘を完全に傘カバーの内部に収納してしまう構造にしても良い。
図１４に示すように傘カバー２ｇを軟性の素材で作成した場合傘１ｇＥ１の柄部１ｇに傘カバーＥ２を収納する空間を設けてもよい。
図１５に示すように傘カバーを化粧水やシャンプーの容器、水筒や哺乳瓶や酒瓶などの飲料容器など液体を収納する容器に模しても良い。
図１６、図１７に示すように野菜や果物、ボーリングのピンなど通常容器とはみなされていない別のものに模してもよい。
図１８に示すように傘カバーの外側にさらに別の素材を用い、ぬいぐるみなど水密性の素材では再現しにくい物に模してもよい。
【図面の簡単な説明】
【０００７】
【図１】  本発明において傘を収納する場合の斜視図
【図２】  本発明において傘を収納する場合の斜視図
【図３】  本発明において傘を収納しない場合の斜視図
【図４】  本発明において傘を収納しない場合の斜視図
【図５】  本発明の他の実施例Ｂの斜視図
【図６】  本発明の他の実施例Ｂの斜視図
【図７】  本発明の他の実施例Ｃの斜視図
【図８】  本発明の他の実施例Ｃの斜視図
【図９】  本発明の他の実施例Ｄの斜視図
【図１０】  本発明の他の実施例Ｄの斜視図
【図１１】  本発明の他の実施例Ｅの斜視図
【図１２】  本発明の他の実施例Ｆの斜視図
【図１３】  本発明の他の実施例Ｆの斜視図
【図１４】  本発明の他の実施例Ｇの斜視図
【図１５】  本発明の他の実施例Ｈの斜視図
【図１６】  本発明の他の実施例Ｉの斜視図
【図１７】  本発明の他の実施例Ｊの斜視図
【図１８】  本発明の他の実施例Ｋの斜視図
【符号の説明】
【０００８】１ａ      傘
１ｂ      傘
１ｃ      傘
１ｄ      傘
１ｅ      傘
１ｆ      傘
１ｇ      傘
１ｈ      傘
１ｉ      傘
１ｊ      傘
１ｋ      傘
１１ａ    傘１ａの柄部傘側のキャップ
１１ｂ    傘１ｂの柄部傘側のキャップ
１１ｃ    傘１ｃの柄部傘側のキャップ
１１ｄ    傘１ｄの柄部傘側のキャップ
１１ｅ    傘１ｅの柄部傘側のキャップ
１１ｆ    傘１ｆの柄部傘側のキャップ
１２ａ    傘１ａの柄部持ち手側のキャップ
１２ｃ    傘１ｃの柄部持ち手側のキャップ
１２ｄ    傘１ｄの柄部持ち手側のキャップ
１２ｆ    傘１ｆの柄部持ち手側のキャップ
１３ｇ    傘１ｇの柄部傘カバー収納部
２ａ      傘カバー
２ｂ      傘カバー
２ｃ      傘カバー
２ｄ      傘カバー
２ｅ      傘カバー
２ｆ      傘カバー
２ｇ      傘カバー
２ｈ      容器に模した傘カバー
２ｉ      野菜に模した傘カバー
２ｊ      器物に模した傘カバー
２ｋ      内部傘カバー
２１ａ    傘カバー２ａの開口部のキャップ
２１ｂ    傘カバー２ｂの開口部のキャップ
２１ｃ    傘カバー２ｃの開口部のキャップ
２１ｄ    傘カバー２ｄの開口部のキャップ
２１ｅ    傘カバー２ｅの開口部のキャップ
２１ｆ    傘カバー２ｆの開口部の傘との接続用キャップ
２２ｃ    傘カバー２ｃと傘カバー２ｃ専用の蓋３ｃの接合部
２３ｄ    傘カバー２ｄの水きり用の機構
２４ｆ    傘カバー２ｆの開口部の蓋との接続用キャップ
３ａ      傘カバー２ａ専用の蓋
３ｂ      傘カバー２ｂ専用の蓋
３ｃ      傘カバー２ｃ専用の蓋
３ｄ      傘カバー２ｄ専用の蓋
３ｆ      傘カバー２ｆ専用の蓋
３１ｆ    傘カバー２ｆ専用の蓋の傘との接合キャップ
３２ｆ    傘カバー２ｆ専用の蓋の傘カバーとの接合キャップ
４ｋ      ぬいぐるみに模した傘カバー外装
【図１】
2008149077.tif 000003
【図２】
2008149077.tif 000004
【図３】
2008149077.tif 000005
【図４】
2008149077.tif 000006
【図５】
2008149077.tif 000007
【図６】
2008149077.tif 000008
【図７】
2008149077.tif 000009
【図８】
2008149077.tif 000010
【図９】
2008149077.tif 000011
【図１０】
2008149077.tif 000012
【図１１】
2008149077.tif 000013
【図１２】
2008149077.tif 000014
【図１３】
2008149077.tif 000015
【図１４】
2008149077.tif 000016
【図１５】
2008149077.tif 000017
【図１６】
2008149077.tif 000018
【図１７】
2008149077.tif 000019
【図１８】
2008149077.tif 000020